(57)【要約】【課題】  ケース体により音出力調節機構をスピーカーと一体化することによって、遊技機への組み付けが簡素化されるとともに、設計変更等によって汎用性が損なわれるおそれが少なく、意匠的にも見栄えのする遊技機用スピーカーユニットとそれを備えた遊技機を提供する。【解決手段】  摺動調節機構２１の両案内壁２１Ｂ，２１Ｆ及び軸受座２１Ｍの外周面は、前方ケーシング３０Ｆ及び固定座３１の内周面に対して、ボールジョイントのような球面対偶にて三次元的に回転可能に摺動することができる。前方案内壁２１Ｆのドーム天頂部に位置する連通孔２１ｈには、回転つまみ２２１が連通孔２１ｈのボス部２１ｈ’に挿入保持されている。制限調節機構２２の調節板２２３は、両案内壁２１Ｂ，２１Ｆの内部空間において、音通過方向と直交する方向に配置された回動軸線Ｏ２周りに回動することによって、音通過方向に対して傾斜調節可能である。回転つまみ２２１は、中心軸線Ｏ１周りで回動可能に前方案内壁２１Ｆのボス部２１ｈ’に支持されている。【選択図】  図５
2010099124.tif 000002
【特許請求の範囲】
【請求項１】
遊技機に取り付けられる遊技機用スピーカーユニットであって、
遊技者に対面する前面側に向けて音出力可能に配置されるスピーカーと、
そのスピーカーの前方に配置され、前記スピーカーで発生した音の要素として音の伝搬方向と音の強さとのうち少なくともいずれか一方を調節するための音出力調節機構と、
それらスピーカーと音出力調節機構とを内蔵して前記遊技機に固定されるとともに、前記スピーカーで発生し前記音出力調節機構を通過した音を出力するための開口部が前面側に貫通形成されたケース体とを備え、
前記音出力調節機構を人為的に調節操作することにより、前記スピーカーで発生した音の要素を調節して遊技者に到達させることを特徴とする遊技機用スピーカーユニット。
【請求項２】
前記ケース体は、
前記スピーカーを内部に固定保持する後方ケーシングと、
前記音出力調節機構を内部に収容し、その音出力調節機構の前方において前記開口部が前面側に貫通形成されるとともに、前記後方ケーシングに対して前方側から一体連結される空洞状の前方ケーシングとを含む請求項１に記載の遊技機用スピーカーユニット。
【請求項３】
前記音出力調節機構は、前記前方ケーシングの内部空間において、音通過面積を大小変化させて音波エネルギーの流れを制限することと、前記内部空間における反射時の音通過方向を変更することとのうち少なくともいずれか一方を行うための制限部材を含む制限調節機構を有し、
前記前方ケーシングの内部空間における前記制限調節機構の制限部材の位置を人為的に変更調節することによって、前記スピーカーで発生した音の伝搬方向とその音の強さとのうち少なくともいずれか一方を変更可能とする請求項２に記載の遊技機用スピーカーユニット。
【請求項４】
前記制限調節機構を構成する制限部材は、前記前方ケーシングの内部空間において、前記音通過方向と交差する方向に配置された回動軸線周りに回動することによって、音通過方向に対して傾斜調節可能に配置されている請求項３に記載の遊技機用スピーカーユニット。
【請求項５】
前記音出力調節機構は、前記スピーカーで発生した音を導入案内するための空洞状の案内壁と、その案内壁の内部空間を通過した音を前記前方ケーシングの開口部へ導出するために当該案内壁の前端部において前後方向に貫通形成された連通孔とを含み、かつ前記案内壁の外周面が前記前方ケーシングの内周面に対して摺動する摺動調節機構を有し、
前記前方ケーシングの開口部に対する前記摺動調節機構の連通孔の位置を人為的に変更調節することによって、前記スピーカーで発生した音の伝搬方向を変更可能とする請求項２に記載の遊技機用スピーカーユニット。
【請求項６】
前記摺動調節機構を構成する案内壁の外周面は、前記前方ケーシングの内周面に対して球面対偶にて三次元的に回転可能に接触している請求項５に記載の遊技機用スピーカーユニット。
【請求項７】
前記摺動調節機構の連通孔は前記案内壁の前端部において複数形成されるとともに、
前記前方ケーシングの内周面に対する前記案内壁の外周面の摺動を人為的に行うための操作部材が、前記連通孔のいずれかを貫通し前面側に向けて軸状に突出する形態で配設される請求項５又は６に記載の遊技機用スピーカーユニット。
【請求項８】
請求項１ないし７のいずれか１項に記載の遊技機用スピーカーユニットが取り付けられることを特徴とする遊技機。
【発明の詳細な説明】
【技術分野】
【０００１】
本発明は、遊技機用スピーカーユニットとそのスピーカーユニットを備えた遊技機に関する。
【背景技術】
【０００２】
従来から、パチンコ機、アレパチ機等の弾球遊技機やスロットマシン、パチスロ機等の回胴式遊技機を含む種々の遊技機では、ランプ、ＬＥＤ等の発光手段を用いた様々な演出表示と並び、スピーカーを用いた効果音・合成音声等の音演出によって、遊技者の興趣を高め遊技が単調になるのを防ぐ工夫がなされている。ところが、例えば音演出用のスピーカーをパチンコ機の内枠に取り付ける場合、遊技領域には大画面の液晶表示部を始めとして役物等の遊技装置が多数設けられているため、スピーカーの設置場所は内枠の周縁部（遊技領域の外側に位置する角隅部）に限定されてしまう。
【０００３】
そのため、性別・年齢等に基づく遊技者の身長差、椅子の高さ等によって遊技者の耳とスピーカーとの位置関係が変化したり、遊技者及びパチンコ機の周囲の環境（騒音状況）が変動したりすると、スピーカー音が遊技者の耳に届きにくく（遊技者が聞き取りにくく）なる。そこで、スピーカーの上部前方又は直前方に音の反射板（ルーバー）を取付け、反射板の反射角度を外部から変更調節可能とすることによって、遊技者が聞き取りやすく、また遊技者の好みに適した音量に調節できる遊技機が提案されている（特許文献１参照）。
【０００４】
【特許文献１】特開２００３−１９０３９８号公報
【０００５】
特許文献１に開示された遊技機によれば、遊技者に合わせて反射板の反射角度（傾斜）を調節することによって、遊技者の身長等に関係なく遊技者がスピーカー音を好みの音量で聞き取れるようになる。しかし、特許文献１の遊技機では、内枠等に固定されるスピーカーとは別に、反射板を前面枠（ガラス枠）等に取り付ける必要がある。このように、スピーカーと反射板とが個別に取り付けられるので、組み付け調整に手間がかかり作業工程が複雑になる。また、スピーカーと反射板とのうちいずれか一方の型式（設計値）や取付位置を変更したときには、他方についても変更を要する場合があり、大規模な設計変更を必要としたり、設計変更によって汎用性が損なわれたりするおそれがある。さらに、特許文献１のようにスピーカーの反射板を剥き出し状態で遊技機の前方（遊技者と対面する前面側）に突出配置するときには、遊技者や他物との接触による怪我や破損の危険がある他、意匠的にも見劣りする。
【発明の開示】
【発明が解決しようとする課題】
【０００６】
本発明の課題は、ケース体により音出力調節機構をスピーカーと一体化することによって、遊技機への組み付けが簡素化されるとともに、設計変更等によって汎用性が損なわれるおそれが少なく、また意匠的にも見栄えのする遊技機用スピーカーユニットとそれを備えた遊技機を提供することにある。
【課題を解決するための手段及び発明の効果】
【０００７】
上記の課題を解決するために、遊技機に取り付けられる本発明の遊技機用スピーカーユニットは、
遊技者に対面する前面側に向けて音出力可能に配置されるスピーカーと、
そのスピーカーの前方に配置され、前記スピーカーで発生した音の要素として音の伝搬方向と音の強さとのうち少なくともいずれか一方を調節するための音出力調節機構と、
それらスピーカーと音出力調節機構とを内蔵して前記遊技機に固定されるとともに、前記スピーカーで発生し前記音出力調節機構を通過した音を出力するための開口部が前面側に貫通形成されたケース体とを備え、
前記音出力調節機構を人為的に調節操作することにより、前記スピーカーで発生した音の要素を調節して遊技者に到達させることを特徴とする。
【０００８】
このように、ケース体により音出力調節機構をスピーカーと一体化して遊技機用スピーカーユニットが構成されるので、組み付け調整の効率化と作業工程の単純化によって、遊技機への組み付けが簡素化される。なお、音出力のためのケース体の開口部を介して音出力調節機構を調節操作する場合には、音の要素としての音の伝搬方向や音の強さを調節する操作が遊技中においても容易に行える。また、このようなスピーカーユニットを単位として交換することによって、周辺部材を含む大規模な設計変更をしなくてもすむので、汎用性を保持することができる。さらに、音出力調節機構をケース体の内部に組み込むことによって、遊技者や他物との接触による怪我や破損の危険を回避するとともに、意匠的にも見栄えをよくすることができる。
【０００９】
ところで、『音（音波）の強さ』を表す指標として、ＪＩＳ  Ｚ  ８１０６（音響用語）によれば、
（１）「音波エネルギーの流れ」……音波の進行方向に垂直な単位面積を単位時間に通過する音波のエネルギー［Ｗ／ｍ２］；
（２）「音圧レベル」……ある音の音圧と基準音圧との比の常用対数の２０倍［ｄＢ］；
を用いることができる。また、聴覚上での音の大小で表す場合には、
（３）「音の大きさ」；
（４）「音量」；
を用いてもよい。
【００１０】
そして上記ケース体は、
スピーカーを内部に固定保持する後方ケーシングと、
音出力調節機構を内部に収容し、その音出力調節機構の前方において開口部が前面側（の先端部）に貫通形成されるとともに、後方ケーシングに対して前方側から一体連結される空洞状（又は中空状）の前方ケーシングとを含むことが望ましい。
【００１１】
このように、前後のケーシングを組み付ける際に、スピーカーを後方ケーシングに、音出力調節機構を前方ケーシングに、各々組み付けることによって、スピーカーと音出力調節機構との位置合わせ（組み付け調整）がきわめて容易となり、作業工程の一層の単純化を図ることができる。また、スピーカーと音出力調節機構とを各別のケーシングにセットするので、例えばスピーカー（及びスピーカーを固定保持する後方ケーシング）の汎用性を向上させることができる。
【００１２】
なお、上記したスピーカー（及び後方ケーシング）の汎用性向上の具体例として、
（ａ）音出力調節機構のない廉価仕様との互換性；
（ｂ）異なる音出力調節機構仕様との互換性；
（ｃ）ＬＥＤによる演出表示ありのデラックス仕様・なしのスタンダード仕様間での互換性；
等を例示することができる。
【００１３】
あるいは、音出力調節機構は、前方ケーシングの内部空間において、（その内部空間の）音通過面積を大小変化させて音波エネルギーの流れを制限することと、内部空間における反射時の音通過方向を変更することとのうち少なくともいずれか一方を行うための制限部材を含む制限調節機構を有し、
前方ケーシングの内部空間における制限調節機構の制限部材の位置を人為的に変更調節することによって、スピーカーで発生した音の伝搬方向とその音の強さとのうち少なくともいずれか一方を変更可能としてもよい。
【００１４】
このように、前方ケーシングの内部空間における制限調節機構の制限部材の位置を変更調節することによって、スピーカーで発生した音の伝搬方向や音の強さを変更できるので、遊技者に到達する音量の調節が円滑にできる。なお、制限調節機構（制限部材）は、例えば、音通過方向に対する傾斜を調節することによって、音通過面積を大小変化させ、かつ反射時の音通過方向を変更するための調節板であってもよい。また、制限調節機構（制限部材）は、音通過方向と交差（例えば直交）する方向に配置された回動軸線周りに回動する場合や、前後方向（又は斜め方向）にスライド移動する場合を含む。
【００１５】
具体的には、制限調節機構を構成する制限部材は、前方ケーシングの内部空間において、音通過方向と交差（例えば直交）する方向に配置された回動軸線周りに回動することによって、音通過方向に対して傾斜調節可能に配置される。制限部材（制限調節機構）が前方ケーシングの内部空間に組み込まれるので、音出力調節機構をコンパクトに構成できる。
【００１６】
さらに、音出力調節機構は、スピーカーで発生した音を導入案内するための空洞状の案内壁と、その案内壁の内部空間を通過した音を前方ケーシングの開口部へ導出するために案内壁の前端部において前後方向に貫通形成された連通孔とを含み、かつ案内壁の外周面が前方ケーシングの内周面に対して摺動する摺動調節機構を有し、
（例えば前方ケーシングの開口部を介し、）前方ケーシングの開口部に対する摺動調節機構の連通孔の位置を人為的に変更調節することによって、スピーカーで発生した音の伝搬方向を変更可能としてもよい。
【００１７】
このように、前方ケーシングの開口部に対する摺動調節機構の連通孔の位置を変更調節することによって、スピーカーで発生した音の伝搬方向が変更され、遊技者に到達する音量を容易に調節することができる。なお、摺動調節機構は、例えば、前端部が閉じた半球型ドーム状（椀形状）を呈する案内壁の前端部に、前後方向に貫通する形態で、複数の連通孔を周方向に沿って配置するものであってもよい。また、摺動調節機構は、音の伝搬方向である前後方向に配置された軸線周りに回転摺動する場合や、前後方向（又は斜め方向）にスライド摺動（移動）する場合を含む。さらに、案内壁（摺動調節機構）の内部空間に制限部材（制限調節機構）が組み込まれる場合には、摺動調節機構によって制限部材の向きを自在に変更できるので調節範囲が広くなるとともに、音出力調節機構を一層コンパクトに構成できる。
【００１８】
具体的には、摺動調節機構を構成する案内壁の外周面は、前方ケーシングの内周面に対して球面対偶（三次元関節；三次元結合）にて三次元的に回転可能に接触（摺動；係合）することができる。案内壁の外周面と前方ケーシングの内周面とがボールジョイントのような球面対偶で接触するので、遊技者がスピーカー音を好みの音量で聞き取れるように、音の伝搬方向を前面側の全方位にわたって容易に変更調節できる。
【００１９】
そして、摺動調節機構の連通孔は案内壁の前端部において複数（例えば網目状に）形成されるとともに、
前方ケーシングの内周面に対する案内壁の外周面の摺動を人為的に行うための操作部材を、前記連通孔（例えば網目）のいずれかを貫通し前面側に向けて軸状に突出する形態で配設することができる。
【００２０】
案内壁を動かすための操作部材が連通孔を利用して保持されるので、摺動調節機構を簡素に構成できる。なお、例えば操作部材を回転つまみで構成すれば、回転つまみを中心軸線周りで回動したとき、ギア機構を介して制限調節機構の制限部材を回動軸線周りで回動させて傾斜調節できる。この場合、制限部材（調節板）の回動軸線と操作部材（回転つまみ）の中心軸線とが案内壁の内部空間にて交差（例えば直交）することになるので、ギア機構にはかさ歯車（ベベルギア）、ハイポイドギア、冠歯車（クラウンギア）等を用いるとよい。また、操作部材の中心軸線周りの回動によって制限調節機構の制限部材が傾斜調節される場合には、操作部材が案内壁（摺動調節機構）及び制限部材（制限調節機構）の調節を兼用するので、音出力調節機構の小型化を図ることができるとともに、操作部材によってこれらの調節操作が集中して行えるので、遊技者に到達する音量の調節が迅速にできる。
【００２１】
そこで、上記課題を解決するために、本発明の遊技機は、
以上のような遊技機用スピーカーユニットが取り付けられることを特徴とする。
【００２２】
このように、ケース体により音出力調節機構とスピーカーとが一体化されてスピーカーユニットが構成されることによって、スピーカーユニット自体の組み付けとともに、スピーカーユニットの遊技機への組み付けも簡素化される。また、そのようなスピーカーユニットを取り付けることにより、設計変更等によって汎用性が損なわれるおそれが少なく、意匠的にも見栄えのする遊技機を提供できる。
【発明を実施するための最良の形態】
【００２３】
（実施例１）
以下、本発明の実施の形態を図面を参照しつつ説明する。図１は本発明に係る遊技機用スピーカーユニット（以下、単にスピーカーユニットともいう）を備えたパチンコ機を例示する正面図である。図１に示すように、パチンコ機１（遊技機）の遊技盤２の盤面（前面）には、ほぼ左半周が内外２本の発射レール２ｂによって区画され、全体として円形の遊技領域２ａが形成されている。遊技領域２ａの中央には液晶表示部３が搭載され、液晶表示部３の下方（遊技領域２ａの中央下部）に大入賞口４（アタッカー）が配置されている。また、液晶表示部３と大入賞口４との間には、電動チューリップ（電チュー）にて構成される始動口５が配置されている。遊技盤２（遊技領域２ａ内の諸装置３，４，５を含む）は、図示しない内枠に固定されるとともに、その手前側（遊技者側）に位置するガラス板（図示せず）で覆われている。なお、ガラス板は前面枠７（ガラス枠）に固定され、前面枠７はヒンジ７ａにより内枠に対して回動開閉可能に支持されている。
【００２４】
さらに、前面枠７の上端周縁部であって、遊技領域２ａの外側に位置する左右の角隅部には、効果音・合成音声等による音演出を行うためのスピーカーユニット１００，１００が、スピーカー１０，１０を遊技者側（前面枠７側）に向ける形態で、ビス等の締結部材（図示せず）によりそれぞれ固定されている。前面枠７にはスピーカーユニット１００，１００（スピーカー１０，１０）の配置位置に対応して窓孔７ｂ，７ｂがそれぞれ形成され、前面枠７の回動閉鎖状態において、スピーカーユニット１００，１００の手前側部分（先端部分）は前面枠７の窓孔７ｂ，７ｂからさらに手前側に突出している（図５（ｂ）参照）。
【００２５】
なお、本明細書において、上下方向とは遊技盤２の盤面に沿う形で遊技球が流下する方向（例えば、鉛直方向）を意味する。また、左右方向とは遊技盤２の盤面に沿う形で上下方向と交差する方向（例えば、水平方向）を意味し、遊技者側からみて左側、右側をいう。さらに、前後方向とは遊技盤２と交差（例えば、直交）する方向を意味し、遊技者に対面する側（手前側）が前面側（前方側）であり、その反対側（奥側）が後面側（後方側）となる。
【００２６】
図２は本発明に係るスピーカーユニットの一例を示す全体斜視図、図３はそのスピーカーユニットの一部を分解して示す斜視図である。図２及び図３に示すように、このスピーカーユニット１００は、前面側に向けて音出力可能に配置されるスピーカー１０と、スピーカー１０の前方に配置されてスピーカー音の伝搬方向及び音の強さを調節するための音出力調節機構２０と、スピーカー１０と音出力調節機構２０とを内蔵するケース体３０と、ケース体３０とガラス板７ａ（前面枠７）との直接接触を防止するためのゴムリング４０（緩衝部材）とを備えている。
【００２７】
ケース体３０は、スピーカー１０を内部に固定保持する椀形状（より具体的には、前面側ほど断面積が大きくなる椀形状）の後方ケーシング３０Ｂと、音出力調節機構２０を内部に収容する空洞状（より具体的には、後面側ほど断面積が大きくなる中空状）の前方ケーシング３０Ｆと、両ケーシング３０Ｂ，３０Ｆに挟まれかつ前方ケーシング３０Ｆの内周面に嵌合保持される円環状の固定座３１とを含む。音出力調節機構２０の前方において、前方ケーシング３０Ｆの前面側先端部には、スピーカー１０で発生し音出力調節機構２０を通過した音を出力するための円形状の開口部３０ｈが貫通形成されている。前方ケーシング３０Ｆと後方ケーシング３０Ｂとは、固定座３１を挟み、複数（例えば３本）のビス３９（締結部材）によって一体連結（共締め）されている（図５（ｂ）参照）。
【００２８】
後述するように、遊技者は、前方ケーシング３０Ｆの開口部３０ｈを介して音出力調節機構２０を人為的に調節操作することによって、スピーカー１０で発生した音の伝搬方向及び音の強さを調節し、好みの音量で聴取することができる。なお、ゴムリング４０は、前方ケーシング３０Ｆの開口部３０ｈの周縁を覆い、かつ窓孔７ｂを包囲して前面枠７の後面と接触することにより、開口部３０ｈから出たスピーカー音が前面枠７の後面と前方ケーシング３０Ｆの外周面との隙間から漏れるのを防止するとともに、前方ケーシング３０Ｆと前面枠７との接触を防止する（図５（ｂ）参照）。
【００２９】
図４はスピーカーユニットの全体を分解して示す斜視図、図５はスピーカーユニットの正面図及びＡ−Ａ断面図、図６は図５（ｂ）の拡大断面図と主要部のさらなる拡大斜視図、図７は制限調節機構の作動を示す側断面図と主要部の拡大斜視図である。図４に示すように、上記した音出力調節機構２０は、前方ケーシング３０Ｆの内周面に対し前面側の全方位にわたって自在に摺動することによって、スピーカー１０で発生した音の伝搬方向を変更可能とする摺動調節機構２１と、その摺動調節機構２１の内部空間にて傾斜変更することによって、スピーカー１０で発生した音の伝搬方向及びその音の強さを同時に変更可能とする制限調節機構２２とを有している。以下、音出力調節機構２０について詳細に説明する。
【００３０】
図４及び図５に示すように、摺動調節機構２１は、スピーカー１０で発生した音を導入案内するための空洞状（又は中空状）の後方案内壁２１Ｂ（案内壁）と、前端部が閉じた半球型ドーム状を呈する前方案内壁２１Ｆ（案内壁）と、前方案内壁２１Ｆの前端部に形成された複数の連通孔２１ｈとを含む。連通孔２１ｈは、前方案内壁２１Ｆの前端部にて円形状、三角形状、擬似菱形形状等の種々の形状で前後方向に貫通形成され、周方向に沿って規則的に網目状に配列されている。したがって、両案内壁２１Ｂ，２１Ｆの内部空間を通過した音は、連通孔２１ｈを通って前方ケーシング３０Ｆの開口部３０ｈから導出される。なお、符号２１Ｍは後述する調節板２２３の回動軸２２３ｓを軸支するための円環状の軸受座（案内壁）であり、後方案内壁２１Ｂと前方案内壁２１Ｆとは、軸受座２１Ｍを挟み、ビス等の締結部材（図示せず）によって一体連結（共締め）されている。
【００３１】
両案内壁２１Ｂ，２１Ｆ及び軸受座２１Ｍの外周面は、前方ケーシング３０Ｆ及び固定座３１の内周面に対して摺動可能に挿入されている。具体的には、両案内壁２１Ｂ，２１Ｆ及び軸受座２１Ｍの外周面は前方ケーシング３０Ｆ及び固定座３１の内周面に対して、ボールジョイントのような球面対偶（三次元関節；三次元結合）にて三次元的に回転可能に接触（摺動；係合）することができる。一方、前方案内壁２１Ｆのドーム天頂部に位置する円形状の連通孔２１ｈには、丸軸状の回転つまみ２２１（操作部材）が、前方案内壁２１Ｆの前端部から前面側に向けて突出する形態で、連通孔２１ｈのボス部２１ｈ’に挿入保持されている。
【００３２】
よって、回転つまみ２２１は、前方案内壁２１Ｆと一体となって、前方ケーシング３０Ｆに対する首振り運動（傾動運動）が可能である。そして、その首振り運動は、後方案内壁２１Ｂの後端が固定座３１の円環状の当接部３１ａに当接するまでの角度範囲（傾動角θ）において（図５（ｂ））、前面側の全方位にわたって（図５（ａ））可能である。したがって、遊技者は、前方ケーシング３０Ｆの開口部３０ｈを介して回転つまみ２２１を首振り操作することによって、開口部３０ｈに対する前方案内壁２１Ｆの連通孔２１ｈの位置を変更調節できるから、スピーカー１０で発生した音の伝搬方向を変更し、好みの音量で聴取することができる。また、上記したような当接部３１ａが形成された固定座３１を介して前後のケーシング３０Ｆ，３０Ｂを一体化することによって、摺動調節機構２１の円滑な作動を確保しつつ、開口部３０ｈを除くケース体３０の密封状態を維持し、ケース体３０からの音漏れを防止することができる。さらに、固定座３１と後方ケーシング３０Ｂとでスピーカー１０を位置決め保持できるので、スピーカー１０を後方ケーシング３０Ｂに固定するための締結部材（ビス等）を削減できるとともに、音出力調節機構２０によりケース体３０内部でのスピーカー音のこもり（回り込み）の発生を防止することができる。
【００３３】
図４及び図６に示すように、制限調節機構２２は、両案内壁２１Ｂ，２１Ｆの内部空間での音通過方向に対する傾斜を調節することによって、音通過面積を大小変化させ、かつ反射時の音通過方向を変更するための円形状の調節板２２３（制限部材）を含む。この調節板２２３は、両案内壁２１Ｂ，２１Ｆの内部空間において、音通過方向と交差（例えば直交）する方向に配置された回動軸線Ｏ２周りに回動することによって、音通過方向に対して傾斜調節可能に配置されている。
【００３４】
具体的には、上記した回転つまみ２２１は、自身の中心軸線Ｏ１周りで回動可能に前方案内壁２１Ｆのボス部２１ｈ’（連通孔２１ｈ）に支持されている。回転つまみ２２１の中心軸線Ｏ１と調節板２２３（回動軸２２３ｓ）の回動軸線Ｏ２とは軸受座２１Ｍの内部空間にて交差（例えば直交）している。そこで、回転つまみ２２１の後端部に嵌合固定されるスリーブ２２２に固着した第一かさ歯車２２２ｇと、回動軸２２３ｓに固着した第二かさ歯車２２３ｇとからなるギア機構を介装することにより、回転つまみ２２１を中心軸線Ｏ１周りで回動すると、調節板２２３は回動軸線Ｏ２周りで回動して傾斜調節される。なお、第一かさ歯車２２２ｇはスリーブ２２２との一体成形にて、また第二かさ歯車２２３ｇ及び回動軸２２３ｓは調節板２２３との一体成形にて形成してもよい。
【００３５】
以上のように構成された制限調節機構２２（回転つまみ２２１及び調節板２２３）の作動について、図６及び図７により説明する。遊技者は、前方ケーシング３０Ｆの開口部３０ｈを介して回転つまみ２２１を中心軸線Ｏ１周りで回動操作することによって、摺動調節機構２１（軸受座２１Ｍ）の内部空間での音通過方向に対する調節板２２３の傾斜を調節できるから、スピーカー１０で発生した音の伝搬方向及びその音の強さを同時に変更し、好みの音量で聴取することができる。
【００３６】
具体的には、回転つまみ２２１を中心軸線Ｏ１周りで一方向（例えば反時計回り）に回動操作すると、調節板２２３は上下方向に起立して摺動調節機構２１（軸受座２１Ｍ）の内部空間を閉鎖する状態（図７）から次第に傾斜し、やがて前後方向に倒伏して摺動調節機構２１（軸受座２１Ｍ）の内部空間を開放する状態（図６）へと移行する。調節板２２３が前方案内壁２１Ｆのボス部２１ｈ’（全開受止部）に当接したとき、調節板２２３はほぼ水平状態となり、摺動調節機構２１（軸受座２１Ｍ）の内部空間における音通過方向に沿って停止し、このとき音通過面積は最大となるので、スピーカー１０で発生した音を大音量（ラウドネス）で聴取することができる。
【００３７】
次に、回転つまみ２２１を中心軸線Ｏ１周りで他方向（例えば時計回り）に回動操作すると、調節板２２３は前後方向に倒伏して摺動調節機構２１（軸受座２１Ｍ）の内部空間を開放する状態（図６）から次第に傾斜し、やがて上下方向に起立して摺動調節機構２１（軸受座２１Ｍ）の内部空間を閉鎖する状態（図７）へと移行する。調節板２２３が軸受座２１Ｍの全閉受止部２１ａ（２ヶ所）に当接したとき、調節板２２３はほぼ鉛直状態となり、摺動調節機構２１（軸受座２１Ｍ）の内部空間における音通過方向に対面して停止し、このとき音通過面積は最小（ほぼ０）となるので、スピーカー１０で発生した音を小音量（ミュート）で聴取することになる。
【００３８】
このように、ケース体３０により音出力調節機構２０をスピーカー１０と一体化してスピーカーユニット１００が構成されるので、組み付け調整の効率化と作業工程の単純化によって、パチンコ機１への組み付けが簡素化される。しかも、音出力のための前方ケーシング３０Ｆの開口部３０ｈを介して音出力調節機構２０を調節操作できるので、音の伝搬方向や音の強さを調節する操作が遊技中においても容易に行える。また、このようなスピーカーユニット１００を単位として交換することによって、周辺部材を含む大規模な設計変更をしなくてもすむので、汎用性を保持することができる。さらに、音出力調節機構２０をケース体３０の内部に組み込むことによって、遊技者や他物との接触による怪我や破損の危険を回避するとともに、意匠的にも見栄えをよくすることができる。
【００３９】
そして、前後のケーシング３０Ｆ，３０Ｂを組み付ける際に、スピーカー１０を後方ケーシング３０Ｂに、音出力調節機構２０を前方ケーシング３０Ｆに、各々組み付けることによって、スピーカー１０と音出力調節機構２０との位置合わせ（組み付け調整）がきわめて容易となり、作業工程の単純化を図ることができる。また、スピーカー１０と音出力調節機構２０とを各別のケーシング３０Ｂ，３０Ｆにセットするので、例えばスピーカー１０（及びスピーカー１０を固定保持する後方ケーシング３０Ｂ）の汎用性を向上させることができる。
【００４０】
摺動調節機構２１において、両案内壁２１Ｂ，２１Ｆ及び軸受座２１Ｍの外周面は、前方ケーシング３０Ｆ及び固定座３１の内周面に対してボールジョイントのような球面対偶で接触しているので、遊技者は、音の伝搬方向を前面側の全方位にわたって容易に変更調節でき、スピーカー音を好みの音量で聞けるようになる。また、制限調節機構２２において、調節板２２３が摺動調節機構２１（軸受座２１Ｍ）の内部空間に組み込まれるので、音出力調節機構２０をコンパクトに構成できるとともに、摺動調節機構２１によって調節板２２３の向きを自在に変更できるので、調節範囲が広くなる。さらに、回転つまみ２２１が前方案内壁２１Ｆ（摺動調節機構２１）及び調節板２２３（制限調節機構２２）の調節を兼用するので、音出力調節機構２０の小型化を図ることができるとともに、回転つまみ２２１によってこれらの調節操作が集中して行えるので、スピーカー音の音量調節が迅速に行える。
【００４１】
（実施例２）
図８は本発明に係る遊技機用スピーカーユニット（以下、単にスピーカーユニットともいう）の他の例を示す側断面図及びＢ−Ｂ断面図である。図８に示すスピーカーユニット２００のケース体１３０において、空洞状（又は中空状）の前方ケーシング３０Ｆの内周面には、いずれも円環状の案内レール３２（案内枠）と支持台３３（支持体）とが固定されている。また、このスピーカーユニット２００の音出力調節機構１２０は、実施例１のような摺動調節機構を含まず、制限調節機構１２２のみを有している。
【００４２】
制限調節機構１２２は、回転つまみ１２２１（操作部材）と回動軸１２２２と調節板１２２３（制限部材）とを含み、これらは合成樹脂により一体成形されている。回転つまみ１２２１（中心軸線Ｏ１）と回動軸１２２２（回動軸線Ｏ２）とは、音通過方向と交差（例えば直交）する方向に一致して配置されている。調節板１２２３は円形状に形成され、回転つまみ１２２１（回動軸１２２２）を中心軸線Ｏ１（回動軸線Ｏ２）周りで回動させて、案内レール３２及び支持台３３（前方ケーシング３０Ｆ）の内部空間での音通過方向に対する傾斜を調節することによって、音通過面積を大小変化させ、かつ反射時の音通過方向を変更することができる。
【００４３】
具体的には、回動軸１２２２は、前方側に位置する案内レール３２と、後方側に位置する支持台３３とによって前後から挟まれて環状に保持されている。回動軸１２２２の一端部（基端部）は、前方ケーシング３０Ｆの周壁部において周方向の所定角度範囲（例えば約９０°）にわたって半径方向に貫通形成された長孔３０ａ（切欠溝）から突出して、回転つまみ１２２１と一体化されている。案内レール３２は、所定角度範囲（例えば約２７０°）にわたり形成される前方ガイド部３２ａと、それより狭い角度範囲（例えば約１８０°）にわたり形成される先端ガイド部３２ｂとによって、周方向に部分的（例えば約９０°）に断面Ｌ字状を呈する。回動軸１２２２の他端部（先端部）は、前方ガイド部３２ａ及び先端ガイド部３２ｂのＬ字状部分と支持台３３の平坦部分とで形成される凹部３４に、周方向の所定角度範囲（ここでは約９０°）にわたって摺動可能な形態で、挿入・軸支されている。
【００４４】
以上のように構成された制限調節機構１２２（回転つまみ１２２１，回動軸１２２２及び調節板１２２３）の作動について説明する。遊技者は、回転つまみ１２２１（回動軸１２２２）を中心軸線Ｏ１（回動軸線Ｏ２）周りで回動操作することによって、案内レール３２及び支持台３３（前方ケーシング３０Ｆ）の内部空間での音通過方向に対する調節板１２２３の傾斜を調節できるから、スピーカー１０で発生した音の伝搬方向及びその音の強さを同時に変更し、好みの音量で聴取することができる。
【００４５】
具体的には、回転つまみ１２２１（回動軸１２２２）を中心軸線Ｏ１（回動軸線Ｏ２）周りで一方向（例えば時計回り）に回動操作すると、調節板１２２３は音通過方向と直交して案内レール３２及び支持台３３（前方ケーシング３０Ｆ）の内部空間をほぼ閉鎖する状態（図８（ｂ））から次第に傾斜し、音通過方向に沿って案内レール３２及び支持台３３（前方ケーシング３０Ｆ）の内部空間を開放（全開）する状態（図８（ａ））へと移行する。調節板１２２３が案内レール３２及び支持台３３（前方ケーシング３０Ｆ）の内部空間における音通過方向に沿って停止すると、音通過方向とほぼ平行状態となり、このとき音通過面積は最大となるので、スピーカー１０で発生した音を大音量（ラウドネス）で聴取することができる。
【００４６】
次に、回転つまみ１２２１（回動軸１２２２）を中心軸線Ｏ１（回動軸線Ｏ２）周りで他方向（例えば反時計回り）に回動操作すると、調節板１２２３は音通過方向に沿って案内レール３２及び支持台３３（前方ケーシング３０Ｆ）の内部空間を開放（全開）する状態（図８（ａ））から次第に傾斜し、音通過方向と交差して案内レール３２及び支持台３３（前方ケーシング３０Ｆ）の内部空間をほぼ閉鎖する状態（図８（ｂ））へと移行する。調節板１２２３が案内レール３２及び支持台３３（前方ケーシング３０Ｆ）の内部空間における音通過方向に対面して停止すると、音通過方向とほぼ直交状態となり、このとき音通過面積は最小（ほぼ０）となるので、スピーカー１０で発生した音を小音量（ミュート）で聴取することになる。
【００４７】
また、回転つまみ１２２１を前方ケーシング３０Ｆの外周面に沿って周方向に移動させると、回動軸１２２２は、その基端部が長孔３０ａの内面を、その先端部が凹部３４の内面を、それぞれ摺動する。これによって、案内レール３２及び支持台３３（前方ケーシング３０Ｆ）の内部空間における調節板１２２３の相対位置が変動するので、音通過方向を変更することができる（図８（ｂ））。
【００４８】
なお、実施例２（図８）において実施例１（図２〜図７）と共通の機能を有する部分には同一符号を付して説明を省略した。
【００４９】
さらに、実施例２（図８）において、案内レール３２を回動軸１２２２に固定し、案内レール３２の外周面が前方ケーシング３０Ｆの内周面に対して球面対偶にて三次元的に回転可能に接触していてもよい。この場合には、案内レール３２は、実施例１における案内壁（後方案内壁２１Ｂ，前方案内壁２１Ｆ又は軸受座２１Ｍ）と同様の機能を有し、摺動調節機構を構成する。
【００５０】
以上の実施例ではスピーカーユニットをパチンコ機に取り付けた場合のみについて説明したが、アレパチ機等の他の弾球遊技機やスロットマシン、パチスロ機等の回胴式遊技機に取り付けてもよい。
【図面の簡単な説明】
【００５１】
【図１】本発明に係るスピーカーユニットを備えたパチンコ機を例示する正面図。
【図２】本発明に係るスピーカーユニットの一例を示す全体斜視図。
【図３】図２のスピーカーユニットの一部を分解して示す斜視図。
【図４】図２のスピーカーユニットの全体を分解して示す斜視図。
【図５】図２のスピーカーユニットの正面図及びＡ−Ａ断面図。
【図６】図５（ｂ）を拡大して示す側断面図、及びその主要部をさらに拡大して示す斜視図。
【図７】制限調節機構の作動を示す側断面図、及びその主要部の拡大斜視図。
【図８】本発明に係るスピーカーユニットの他の例を示す側断面図及びＢ−Ｂ断面図。
【符号の説明】
【００５２】
１        パチンコ機（遊技機）
７        前面枠（ガラス枠）
７ａ      ヒンジ
７ｂ      窓孔
１０      スピーカー
２０，１２０  音出力調節機構
２１      摺動調節機構
２１Ｂ    後方案内壁（案内壁）
２１Ｆ    前方案内壁（案内壁）
２１ｈ    連通孔
２１ｈ’  ボス部（全開受止部）
２１Ｍ    軸受座（案内壁）
２１ａ    全閉受止部
２２      制限調節機構
２２１    回転つまみ（操作部材）
２２２    スリーブ
２２２ｇ  第一かさ歯車（ギア機構）
２２３    調節板（制限部材）
２２３ｇ  第二かさ歯車（ギア機構）
２２３ｓ  回動軸
１２２    制限調節機構
１２２１  回転つまみ（操作部材）
１２２２  回動軸
１２２３  調節板（制限部材）
３０，１３０  ケース体
３０Ｂ    後方ケーシング
３０Ｆ    前方ケーシング
３０ａ    長孔（切欠溝）
３０ｈ    開口部
３１      固定座
３１ａ    当接部
３２      案内レール（案内枠）
３２ａ    前方ガイド部
３２ｂ    先端ガイド部
３３      支持台（支持体）
３４      凹部
４０      ゴムリング（緩衝部材）
１００，２００  スピーカーユニット（遊技機用スピーカーユニット）
Ｏ１      中心軸線
Ｏ２      回動軸線
θ        傾動角
【図１】
2010099124.tif 000003
【図２】
2010099124.tif 000004
【図３】
2010099124.tif 000005
【図４】
2010099124.tif 000006
【図５】
2010099124.tif 000007
【図６】
2010099124.tif 000008
【図７】
2010099124.tif 000009
【図８】
2010099124.tif 000010